(57)【要約】【課題】加入者局に対するダイナミックマルチモードサービス獲得機能を提供すること。【解決手段】加入者局に対するダイナミックマルチモードサービス獲得機能を提供するためのシステムが提供される。加入者局は２つ以上の動作モードで動作できる。走査条件に対する時間は、加入者局がアクティブな状態と非アクティブな状態を有する現在の動作モードで動作している間に示される。システムはそれに対応して現在の動作モードについての状態情報を記憶し、別の動作モードに従って通信サービスの少なくとも部分的な獲得を試みる。前記少なくとも部分的な獲得の試みは、加入者局が現在の動作モードの非アクティブ状態で動作している間に開始され、加入者局が現在の動作モードのアクティブ状態に戻る前に完了することが予定される。獲得の試みが成功すると、加入者局は、適切な登録を維持しながら新しい動作モードに移行する。成功しない場合、加入者局は記憶された状態情報を使用し、現在の動作モードで動作を再開する。
2005525759.tif 000002
【特許請求の範囲】
【請求項１】
加入者局にダイナミックマルチモードサービス獲得機能を提供するためのシステムであって、前記加入者局は２つまたはそれ以上の動作モードで動作することが可能であり、
前記加入者局がアクティブな状態と非アクティブな状態を有する現在の動作モードで動作している間に走査条件に対する時間を示すための第１の論理と、
走査条件に対する時間を示す第１の論理に応えて、現在の動作モードのための状態情報を記憶し、別の動作モードに従って通信サービスの少なくとも部分的な獲得を試みるための第２の論理であって、前記少なくとも部分的な獲得の試みは加入者局が現在の動作モードの非アクティブ状態にある間に開始され、加入者局が現在の動作モードのアクティブ状態に戻る前に達成される第２の論理と、
前記少なくとも部分的な獲得の試みが成功した場合に、加入者局に現在の動作モードに従って動作するのを止めさせ、他の動作モードに従って走査することを開始させるため第３の論理であって、前記少なくとも部分的な獲得の試みが不成功に終わった場合に、前記加入者局が現在の動作モードでの動作を再開するために記憶されていた状態情報を使用できるようにするための第３の論理と、
を具議するシステム。
【請求項２】
前記加入者局は送受話器である請求項１に記載のシステム。
【請求項３】
前記加入者局はパーソナルデジタルアシスタントである請求項１に記載のシステム。
【請求項４】
前記加入者局はラップトップコンピュータである請求項１に記載のシステム。
【請求項５】
前記加入者局はモバイルデバイスである請求項１に記載のシステム。
【請求項６】
前記通信サービスは無線通信サービスである請求項１に記載のシステム。
【請求項７】
前記２つ以上の動作モードは第１のモードと第２のモードを備え、前記第１の動作モードはＣＤＭＡであり、前記第２の動作モードはＧＳＭである請求項１に記載のシステム。
【請求項８】
前記２つ以上の動作モードはそれぞれ、ＡＭＰＳ、１ｘ、１ｘＥＶ、ＣＤＭＡ、ＧＳＭ、ＴＤＭＡ及びＷＣＤＭＡを備えるグループからそれぞれ選択される請求項１に記載のシステム。
【請求項９】
前記走査条件に対する時間はタイマの期限切れ時、またはタイマの期限切れ後に第１の論理により示される請求項１に記載のシステム。
【請求項１０】
前記走査条件に対する時間は、加入者局が使用中のシステムに登録されている間に示される請求項１に記載のシステム。
【請求項１１】
前記走査条件に対する時間は使用中のシステムからの信号強度が所定閾値を下回ったと同時に、あるいは下回った後に第１の論理により示される請求項１０に記載のシステム。
【請求項１２】
前記第２の論理は候補システムからの通信サービスの部分的な獲得を試みる請求項１に記載のシステム。
【請求項１３】
前記走査条件に対する時間は、加入者局と候補システムのサービスエリアの間で検出される十分な近接に対応して示される請求項１２に記載のシステム。
【請求項１４】
前記近接検出は、候補システムのサービスエリアに関して加入者局の推定される場所の検討に基づき達成される請求項１３に記載のシステム。
【請求項１５】
前記加入者局の推定場所は、１つ以上の参照ソースから受信される信号に基づいて決定される請求項１４に記載のシステム。
【請求項１６】
前記参照ソースの少なくとも１つはＧＰＳ衛星を備える請求項１４に記載のシステム。
【請求項１７】
前記参照ソースの少なくとも１つは基地局またはセクタである請求項１４に記載のシステム。
【請求項１８】
前記参照ソースの少なくとも１つはＧＳＰ衛星であり、別のソースが基地局またはセクタである請求項１４に記載のシステム。
【請求項１９】
前記第２の論理は、受信信号を識別コードに相関付けることにより候補システムからの通信サービスの少なくとも部分的な獲得を試みるように構成される請求項１に記載のシステム。
【請求項２０】
前記少なくとも部分的な獲得が成功した場合に、前記第３の論理は加入者局に使用中のシステムから登録解除させ、次に候補システムに登録させる請求項１０に記載のシステム。
【請求項２１】
前記少なくとも部分的な獲得が成功した場合に、前記第３の論理は使用中のシステムから候補システムにハードハンドオフを開始する請求項１０に記載のシステム。
【請求項２２】
前記少なくとも部分的な獲得が成功した場合に、前記第３の論理は使用中のシステムから候補システムにソフトハンドオフを開始する請求項１０に記載のシステム。
【請求項２３】
前記第２の論理は、加入者局が現在の動作モードのアクティブな状態に次にいつ移行する予定なのかを判断し、それに応じて、前記少なくとも部分的な獲得の１つ以上のパラメータを決定する請求項１に記載のシステム。
【請求項２４】
前記１つ以上のパラメータはコヒーレント積分時間を備える請求項２３に記載のシステム。
【請求項２５】
前記１つ以上のパラメータは非コヒーレント積分時間を備える請求項２３に記載のシステム。
【請求項２６】
前記１つ以上のパラメータはコヒーレント積分時間と非コヒーレント積分時間を備える請求項２３に記載のシステム。
【請求項２７】
前記１つ以上のパラメータは１つ以上のエネルギーレベルを備える請求項２３に記載のシステム。
【請求項２８】
加入者局にダイナミックマルチモードサービス獲得機能を提供するためのシステムであって、前記加入者局は２つ以上のモードで動作することが可能であり、
前記加入者局は、アクティブ状態と非アクティブ状態を有する現在の動作モードで動作している間に走査条件に対する時間を示すための第１の手段と、
走査条件に対する時間を示す前記第１の手段に応えて、現在の動作モードの状態情報を記憶し、別の動作モードに従って通信サービスの少なくとも部分的な獲得を試みるための第２の手段であって、前記少なくとも部分的な獲得の試みは、加入者局が現在の動作モードの非アクティブ状態にある間に開始され、加入者局が現在の動作モードのアクティブ状態に戻る前に完了する第２の手段と、
前記少なくとも部分的な獲得の試みが成功した場合に、加入者局に現在の動作モードに従って動作するのを止めさせ、他の動作モードに従って動作を開始させるための第３の手段であって、前記少なくとも部分的な獲得の試みが不成功に終わった場合に、前記加入者局が現在の動作モードで動作を再開するために記憶されていた状態情報を使用できるようにするための第３の手段と、
を具備するシステム。
【請求項２９】
加入者局においてサービスを動的に獲得する方法であって、前記加入者局は２つ以上の動作モードで動作することが可能であり、
前記加入者局はアクティブな状態と非アクティブな状態を有する現在の動作モードで動作している間に走査条件に対する時間を示すことと、
走査条件に対する時間の表示に応えて、現在の動作モードのための状態情報を記憶することと、
走査条件に対する時間の表示に応えて、他の動作モードに従って通信サービスの少なくとも部分的な獲得を試みることであって、前記少なくとも部分的な獲得の試みは、加入者局が現在の動作モードの非アクティブ状態にある間に開始され、加入者局が現在の動作モードのアクティブ状態に戻る前に完了することと、
前記少なくとも部分的な獲得の試みが成功した場合に、加入者局に現在の動作モードに従って動作するのを止めさせ、他の動作モードで動作を開始させることと、
前記少なくとも部分的な獲得の試みが不成功に終わった場合に、加入者局が記憶されていた状態情報を使用して現在の動作モードで動作を再開できるようにすることと、
を具備する方法。
【請求項３０】
前記通信サービスは無線通信サービスである請求項２９に記載の方法。
【請求項３１】
前記２つ以上の動作モードは第１のモードと第２のモードを備え、前記第１の動作モードはＣＤＭＡであり、前記第２の動作モードはＧＳＭである請求項２９に記載の方法。
【請求項３２】
前記２つ以上の動作モードはそれぞれＡＭＰＳ、１ｘ、１ｘＥＶ、ＣＤＭＡ、ＧＳＭ、ＴＤＭＡ及びＷＣＤＭＡを備えるグループから選択される請求項２９に記載の方法。
【請求項３３】
前記走査条件に対する時間はタイマの期限切れ時にまたはタイマの期限切れ後に示される請求項２９に記載の方法。
【請求項３４】
加入者局が使用中のシステムに登録されている間に、走査条件に対する時間を示すことをさらに備える請求項２９に記載の方法。
【請求項３５】
前記走査条件に対する時間は、使用中のシステムの信号強度が所定の閾値を下回ったと同時に、または下回った後に示される請求項３４に記載の方法。
【請求項３６】
前記走査条件に対する時間は、加入者局と候補システムのサービスエリアの間に検出される十分な近接に応えて表示される請求項２９に記載の方法。
【請求項３７】
前記近接検出は、候補システムのサービスエリアに対する加入者局セルの推定場所の考慮に基づいて達成される請求項３６に記載の方法。
【請求項３８】
前記加入者局の推定場所は参照ソースから受信される１つ以上の信号に基づいて決定される請求項３７に記載の方法。
【請求項３９】
前記参照ソースの少なくとも１つはＧＰＳ衛星を備える請求項３８に記載の方法。
【請求項４０】
前記参照ソースの少なくとも１つは基地局またはセクタを備える請求項３８に記載の方法。
【請求項４１】
前記参照ソースの少なくとも１つはＧＰＳ衛星を備え、別のソースが基地局またはセクタを備える請求項３８に記載の方法。
【請求項４２】
前記試行する工程は、受信信号を候補システムを一意に識別する識別コードと相関付けることと、ピークを有する相関関数を生じさせることと、相関関数のピークが所定の閾値を超えるかどうかを判断することとを備える請求項２９に記載の方法。
【請求項４３】
引き起こさせる工程が、加入者局に使用中のシステムから登録解除させ、次に候補システムに登録させることを備える請求項３４に記載の方法。
【請求項４４】
前記引き起こさせる工程は、使用中のシステムから候補システムへのハードハンドオフを開始することを備える請求項３４に記載の方法。
【請求項４５】
前記引き起こさせる工程は、使用中のシステムから候補システムへのソフトハンドオフを開始することを備える請求項３４に記載の方法。
【請求項４６】
加入者局が現在の動作モードのアクティブ状態に戻ることがいつ予定されるのかを判断することと、それに応じて前記少なくとも部分的な獲得の１つ以上のパラメータを決定することとをさらに備える請求項２９に記載の方法。
【請求項４７】
前記１つ以上のパラメータはコヒーレント積分時間を備える請求項４６に記載の方法。
【請求項４８】
前記１つ以上のパラメータは非コヒーレント積分時間を備える請求項４６に記載の方法。
【請求項４９】
前記１つ以上のパラメータはコヒーレント積分時間と非コヒーレント積分時間を備える請求項４６に記載の方法。
【請求項５０】
前記１つ以上のパラメータは１つ以上のエネルギーレベルを備える請求項４６に記載の方法。
【請求項５１】
加入者局においてサービスを動的に獲得する方法であって、前記加入者局は２つ以上の動作モードで動作することが可能であり、
前記加入者局がアクティブな状態と非アクティブな状態を有する現在の動作モードで動作している間に走査条件に対する時間を示すための工程と、
走査条件に対する時間の表示に応えて、現在の動作モードのための状態情報を記憶するための工程と、
走査条件に対する時間の表示に応えて、別の動作モードに従って通信サービスの少なくとも部分的な獲得を試みるための工程であって、前記少なくとも部分的な獲得の試みが、加入者局が現在の動作モードの非アクティブ状態にある間に開始され、加入者局が現在の動作モードのアクティブな状態に戻る前に完了する工程と、
前記少なくとも部分的な獲得の試みが成功した場合に、加入者局に現在の動作モードに従って動作するのを止めさせ、他の動作モードに従って動作を開始させるための工程と、
前記少なくとも部分的な獲得の試みが不成功に終わった場合に、加入者局が、記憶されていた状態情報を使用して現在の動作モードで動作を再開できるようにするための工程と、
を具備する方法。
【請求項５２】
前記少なくとも部分的な獲得が成功した場合に、前記第３の論理は他の動作モードに従ってサービスの獲得を完了するように構成される請求項１に記載のシステム。
【請求項５３】
前記少なくとも部分的な獲得が成功した場合に、前記第３の手段は他の動作モードに従ってサービスの獲得を完了するように構成される請求項２８に記載のシステム。
【請求項５４】
前記少なくとも部分的な獲得が成功した場合に、前記引き起こす工程は他の動作モードに従ってサービスの獲得を完了することをさらに備える請求項２９に記載の方法。
【請求項５５】
前記少なくとも部分的な獲得が成功した場合に、前記引き起こすための工程は、他の動作モードに従ってサービスの獲得を完了することをさらに備える請求項５１に記載の方法。
【請求項５６】
前記状態情報は、加入者局に対する通信サービスの重大な中断なく、現在の動作モードの再開を可能にするほど十分である請求項１に記載のシステム。
【請求項５７】
前記状態情報は、加入者局に対する通信サービスの重大な中断なく、現在の動作モードの再開を可能にするほど十分である請求項２８に記載のシステム。
【請求項５８】
前記状態情報は、加入者局に対する通信サービスの重大な中断なく、現在の動作モードの再開を可能にするほど十分である請求項２９に記載の方法。
【請求項５９】
前記状態情報は、加入者局に対する通信サービスの重大な中断なく、現在の動作モードの再開を可能にするほど十分である請求項５１に記載の方法。
【請求項６０】
前記状態情報は、現在の動作モードのための時間基準を備える請求項１または２８に記載のシステム。
【請求項６１】
前記状態情報は、現在の動作モードのための１つ以上のエアインタフェースプロトコル変数を備える請求項１または２８に記載のシステム。
【請求項６２】
前記状態情報は、別のモードに滞在した後に現在のモードに戻るために必要なハードウェア状態情報を備える請求項１または２８に記載のシステム。
【請求項６３】
前記状態情報は、現在の動作モードのための時間基準を備える請求項２１または５９に記載の方法。
【請求項６４】
前記状態情報は、現在の動作モードのための１つ以上のエアインタフェースプロトコル変数を備える請求項２１または５９に記載の方法。
【請求項６５】
前記状態情報は、他のモードに滞在した後に現在のモードに戻るために必要なハードウェア状態情報を備える請求項２１または５９に記載の方法。
【発明の詳細な説明】
【技術分野】
【０００１】
（関連出願）
本願は、２００２年５月１３日に出願された米国仮出願第６０／３８０，４０６号、及び２００２年６月２０日に出願された米国仮出願第６０／３９０，３７３号に対して優先権を主張する。
【０００２】
本発明は、無線通信、サービス獲得、及びマルチモード加入者局の分野に関し、さらに詳細には、加入者局におけるダイナミックマルチモード無線通信サービス獲得機能に関する。
【背景技術】
【０００３】
無線通信サービスが世界中で普及するにつれて、ある特定の地理的領域内の複数の加入者が、同時に使用可能である限られた周波数スペクトルにアクセスできるようになるために種々の多様なマルチアクセスモードまたはプロトコルが出現してきた。これらのモードまたはプロトコルの例はＡＭＰＳ、ＣＤＭＡ、ＧＳＭ、及びＵＭＴＳを含むがこれらに限定されない。
【０００４】
これらのモードの内の異なるモードに準拠するサービスを提供する無線通信システムが世界中で出現してきた。これらのシステムの多くはばらばらのサービスエリアを有し、多くが重複するサービスエリアを有している。これらのシステムにより提供されるサービスのコストと質は異なる可能性があり、多くの場合実際に異なる。結果的に、重複するサービスエリア内への加入者ローミングは、コストと質という点でその加入者にとって最適であるそのサービスエリア内のシステムにアクセスできることによって、そのシステムが加入者局が現在設定されているモードとは異なる動作モードを活用する場合にも恩恵を受けることができるであろう。
【発明の開示】
【発明が解決しようとする課題】
【０００５】
通常、加入者局は加入者の家庭のシステムにより活用されるモードで事前に設定され、他の動作モードを取り扱うために動的に再設定できないか、あるいは再設定できる場合も例えばＣＤＭＡ対ＡＭＰＳまたはＷＣＤＭＡ対ＧＳＭなどの非常に限られた数の他のモードに動的に切り替えられるにすぎず、試みられる切り替えが無事に行われない場合、あるいは過去のモードが好ましいモードであり、過去のモードに準拠するサービスが後日利用可能になる場合に過去のモードに円滑に戻ること、つまりサービスの重大な中断を受けずに戻ることを可能にする状態情報を保持しないかのどちらかである。加えて、別のモードに切り替わるためには加入者による積極的な関与が必要となる場合もある。例えば、現在、ＣＤＭＡとＧＳＭ、あるいはＷＣＤＭＡとＣＤＭＡの動作モードの間で動的に切り替わることができる加入者局は利用できない。その結果、多くの加入者は、コスト及び／または品質という点でその加入者にとって最適である、単一の加入者局からの無線通信サービスにアクセスすることができない。
【０００６】
完全に統合されたネットワークは、近接するシステム及びそれらの使用方法に関して加入者局に表示を提供する。部分的に統合されたネットワークの場合、ネットワークは、加入者局が使用できる他の種類のシステムの存在の表示は送信することがあるが、必ずしもそれらをどこで発見するのか、あるいはどのようにしてそれらを使用するのかは送信しない可能性がある。統合されておらず、加入者局が使用できる他の種類のシステムの存在に関する表示を提供しないシステムもある。弱い、つまり欠けている表示、及びＣＤＭＡの存在を表示しないＧＳＭまたはＷＣＤＭＡなどのこのような表示を提供しないシステムの結果、マルチモード加入者局はときおりより望ましいサービスモードがないか確認するためにシステムを活用させたままにしなければならない。これにより、加入者局がさらに望ましい１つ以上のシステムを探している間にサービスに重大な中断が生じる。これらの中断の結果、サービス中断中の呼の確率に正比例する呼の紛失が生じる場合がある。さらに望ましいシステムが発見されない場合、加入者局は過去のあまり望ましくないが使用可能なシステムに戻る。サービスの中断は、通常、例えば３分おきなどやや不定期にチェックすることにより最小限に抑えられる。
【課題を解決するための手段】
【０００７】
本発明は、加入者局においてダイナミックマルチモードサービス獲得機能を実現するためのシステムを提供する。加入者局は２つ以上の動作モードで動作することができる。
【０００８】
前記システムは、加入者局が、アクティブ状態と非アクティブ状態を有する現在の動作モードで動作している間に、走査条件に対する時間を示すための第１の論理を備える。アクティブ状態においては、加入者局が通信システムを傾聴できるように、加入者局内の受信機の出力が上げられる。非アクティブ状態においては、電力を節約するために加入者局内の受信機の出力は下げられ、加入者局は通信システムを傾聴することができない。
【０００９】
前記システムは、走査条件に対する時間を示す前記第１の論理に対応して、現在の動作モードのための状態情報を保持する第２の論理も備え、別の動作モードに従って通信サービスの少なくとも部分的な獲得を試み、前記少なくとも部分的な獲得は、加入者局が現在の動作モードで非アクティブな状態にある間に開始され、加入者局が現在の動作モードのアクティブな状態に戻る前に完了されることが予定される。
【００１０】
前記少なくとも部分的な獲得の試みが成功すると、システムは加入者局に現在の動作モードに従って動作するのを止めさせ、他の動作モードに従って動作を開始させる。前記少なくとも部分的な獲得の試みが不成功に終わった場合には、システムは、加入者局が現在の動作モードで動作を再開できるようにするために保持されていた状態情報を使用する。
【００１１】
本発明の他のシステム、方法、特徴及び優位点は、以下の図および詳細な説明を調べることによって当業者にとって明らかである、あるいは明らかになるであろう。すべてのこのような追加のシステム、方法、特徴及び利点が本説明の中に含まれ、本発明の範囲内にあり、添付請求項により保護されることが意図される。
【００１２】
図中の構成部品は必ずしも実物大ではなく、代わりに本発明の原理を図解することが重視されている。図中、類似する参照番号は異なる図を通して対応するパーツを指定する。
【発明を実施するための最良の形態】
【００１３】
ここで活用されるように、「約」及び「実質的に」などの用語は、例えばこのような値の１％から２０％の範囲（複数の場合がある）における任意の値分、「約」または「実質的に」によって修正される値から上方へまたは下方への偏差などの、その業界において受け入れることができる許容誤差を明らかにするために数学的な精密さにいくらかの裁量を認めることが意図される。
【００１４】
さらに、ここで使用されるように、用語「論理」はハードウェアとして、ソフトウェアとして、あるいはハードウェアとソフトウェアの組み合わせとして具現化される実施を指す。さらに、用語「メモリ」は、プロセッサによって実行可能な一連の命令が記憶されてよいＲＡＭ、ＲＯＭ、ＥＰＲＯＭ、ＰＲＯＭ、ＥＥＰＲＯＭ、ディスク、フロッピーディスク、ハードディスク、ＣＤ−ＲＯＭ、ＤＶＤ等を含むが、これらに限定されないプロセッサにより読み取り可能な媒体を指す。
【００１５】
用語「プロセッサ」は、一連の命令を実行することに応えて機能を実行することができる任意のデバイスを指し、汎用または特殊目的のマイクロプロセッサ、有限状態機械、コントローラ、またはコンピュータを含むが、これらに限定されない。
【００１６】
図１を参照すると、加入者局１０６にダイナミックマルチモードサービス獲得機能を提供するためのシステム１１０の第１の実施形態が描かれている。前記加入者局１０６は、２つ以上の動作モードで動作できる。
【００１７】
前記システム１１０は、前記加入者局１０６がアクティブ状態と非アクティブ状態を有する現在の動作モードで動作している間に走査条件に対する時間を示すための第１の論理１０２を備える。アクティブ状態においては、加入者局１０６内の受信機が、加入者局が通信システムを傾聴できるように出力を上げられる。非アクティブ状態においては、電力を節約するために、加入者局１０６内の受信機は出力を下げられ、加入者局は通信システムを傾聴することができない。
【００１８】
システム１１０は、走査条件に対する時間を示す第１の論理１０２に応えて現在の動作モードのための状態情報を保持する第２の論理１０４も備える。一般的に、状態情報はサービスの重大な中断なく現在の動作モードに戻ることを可能にするほど十分でなければならず、時間、つまり現在のモードのための時間基準、現在のモードのためのインタフェースプロトコル変数、及び／または他のモードに滞在した後に現在のモードで動作を復元するために必要なハードウェア状態を備えてよい。また第２の論理１０４は、別の動作モードに従って通信サービスの少なくとも部分的な獲得を試み、前記少なくとも部分的な獲得の試みは、加入者局１０６が現在の動作モードの非アクティブ状態にある間に開始され、加入者局１０６が現在の動作モードのアクティブ状態に戻る前に完了することが予定される。
【００１９】
システム１１０は、第３の論理１０８も備える。前記少なくとも部分的な獲得の試みが成功すると、第３の論理１０８は、加入者局１０６に現在の動作モードに従って動作するのを止めさせ、他の動作モードに従って動作するのを開始させる。前記少なくとも部分的な獲得の試みが不成功に終わった場合には、第３の論理１０８は、加入者局１０６が現在の動作モードで動作を再開できるようにするために保持されていた状態情報を使用する。
【００２０】
１つの実施形態では、前記２つ以上のモードは第１のモードと第２のモードを備え、前記第１のモードはＧＳＭモードであり、前記第２のモードはＣＤＭＡモードである。既知であるように、ＧＳＭモードにある間、加入者局はアクティブ状態と非アクティブ状態を周期的に行き来する。例えば、遊休加入者局は、通常ページンググループに割り当てられ、そのグループ内のステーションに対するページは、通常、ＧＳＭ制御マルチフレームの持続時間である２３５．４ｍｓ期間内の所定のタイムスロットの間に一斉送信される。このタイムスロットの間に、加入者局は、ページがそれに宛てられている場合には受信機をオンにする必要がある。しかしながら、制御マルチフレームの持続時間の残りの間に、加入者局はその受信機をオフにし、このようにして非アクティブ状態に入ることができる。状況は図２Ａに描かれており、加入者局がアクティブであるタイムスロットは数字２０２ａ、２０２ｂ、２０２ｃで識別されている。描かれているように、これらのタイムスロットは制御マルチフレームの期間Ｔ、つまり２３５．４ｍｓ分、互いから離間されている。
【００２１】
この実施形態では、第１の論理１０２が、加入者局がＧＳＭ動作モードで動作している間に走査条件に対する時間を検出する。走査条件に対する時間は、例えばタイマの期限切れ、使用中のシステムの信号強度が所定の閾値以下に低下した旨の判断、及び／または候補システムの信号強度が所定の閾値または使用中のシステムの信号強度を超えている旨の判断、あるいは他の動作モードを利用しているシステムのサービスエリアに対する加入者局の近接を含むがこれに限定されない多岐に渡る機構を通してトリガされてよい。
【００２２】
近接検出に基づき走査条件に対する時間を示すことが所望される場合、加入者局は、ＧＰＳ、ＡＦＬＴ、またはハイブリッド受信機を備えてよく、既知の場所が、ＧＳＰ衛星、基地局またはセクタ、あるいはＧＰＳ衛星と基地局またはセクタの組み合わせを含むがこれに限定されない加入者局にとって可視状態で、１つ以上の基準ソースから送信されるパイロット信号から加入者局が引き出す到着時刻測定値からその位置を突き止める（つまり、位置決定エンティティにその位置を決定させるために調整する）ことができる。
【００２３】
位置推定値の多様な程度の精度も可能である。加入者局の精密な位置が所望される場合には、４つまたは５つ以上の異なる基準ソースからの４つ以上の到着時刻測定値が必要とされる可能性がある。しかしながら、あまり精度が必要とされない場合には、４つより少ない測定値が考えられてよい。例えば、加入者局と基地局またはセクタの間の距離を突き止めるには２つの測定値で十分である場合がある。その情報は、基地局またはセクタの既知の場所と相まって、熟慮される近接検出には十分であってよい。
【００２４】
しかしながら、どのようにして加入者局の場所が突き止められようとも、及びその精度がどうであれ、加入者局は次にその場所を他の動作モードを利用しているシステムのサービスエリアと比較してよい。これを行うために、加入者局は、通信サービスを獲得するために加入者局により活用されてよい考えられるシステムのサービスエリアを示す地理データベースを維持、活用してよい。２つが十分に近い場合には、走査条件に対する時間がトリガされてよいか、示されてよい。他の例が考えられるため、前記のどれも制限的と解釈されるべきではない。
【００２５】
走査条件に対する時間の発生は、加入者局による過度の電力消費を回避するほど十分に離間される必要がある。さらに詳細には、実行されることが所望される通信サービスの試みられた獲得は、加入者局の受信機の出力を上げ、再びアクティブ状態に入ることを必要とする。これらの発生の間隔が近すぎる場合には、続く検索は過剰な電力量を消費するであろう。この懸念を鑑みて、次に図２Ａを参照して、走査条件に対する時間の発生はこの問題を回避するように十分に離間されなければならない。例えば、一般的には加入者局が非アクティブ状態に移行するたびに、走査条件に対する時間を示すのを回避することが賢明である。
【００２６】
第２の論理１０４は、第１の論理１０２による走査時間の状態の表示に応えて、サービスの重大な中断を起こさずにＧＳＭ動作モードに戻ることを可能にするほど十分な状態情報を記憶する。一般的に、この状態情報はＧＳＭ時間基準などのタイミング情報を含む。さらに、第２の論理１０４は、加入者局１０６がＧＳＭ動作モードにある間に非アクティブ状態からアクティブ状態に戻ることが予定されるまでの時間も決定する（第２の論理１０４がこの決定を下すときには、加入者局１０６が非アクティブ状態にあると想定される）。図２Ａを参照すると、例えば、第２の論理１０４が時間２０４で走査条件に対する時間に応える場合、それは次の予定されるアクティブ状態に戻るまでの時間がＸであると判断する。
【００２７】
残りの時間Ｘに対応して、第２の論理１０４は次に、試されることになるＣＤＭＡサービスの続く少なくとも部分的な獲得を決定するために、１つ以上の検索パラメータまたは獲得パラメータを決定する。前記１つ以上の検索パラメータまたは獲得パラメータは、試されることになるＣＤＭＡサービスの前記少なくとも部分的な獲得がＧＳＭ動作モードにおけるアクティブ状態への予定される戻りの前に完了できるように決定される。それにより前記少なくとも部分的な獲得の試みがＧＳＭ動作モードに対してトランスペアレントに発生できるようになるため、この実施で達成するためにそれは重要である。
【００２８】
通常ＣＤＭＡサービスの完全な獲得は、達成するために５秒から３０秒を要する。しかしながら、加入者局がＧＳＭ動作モードにある間にアクティブ状態に戻る予定となるまで使用可能な期間は、通常約数百ミリ秒である。その結果、一般的には、使用可能な時間内でのＣＤＭＡサービスの完全な獲得を試みるには不十分な時間であり、部分的な獲得だけが試みられる。
【００２９】
既知であるように、ＩＳ−９５Ａに準拠するシステムにおいては、システムの獲得は２つのサブステート（ｓｕｂｓｔａｔｅ）、つまり加入者局がＣＤＭＡシステム内でパイロットチャネルを獲得するパイロットチャネル獲得サブステートと、加入者局が同期チャネルメッセージを獲得する、後に続く同期チャネル獲得サブステートを備える。１つの実施例では、試みられる前記少なくとも部分的な獲得が、通常パイロット獲得サブステートで起こる内容に似ている短縮パイロット獲得プロセスを備える。このプロセスがここで説明される。
【００３０】
この短縮プロセスに従って、加入者局は、最初にＣＤＭＡシステムのパイロットチャネルに同調し、次にＣＤＭＡシステム内の基地局またはセクタの内の１つによって送信されるパイロット信号の位置を突き止めようとする。これは、受信信号を識別コードのシフトされたバージョンと繰り返し相関付けることにより行われ、識別コードの各シフトがＣＤＭＡシステム内の基地局またはセクタを一意に識別する。コードの中のシフトごとに、加入者局は、シフトされたコードと受信信号の間の積分時間Ｉに亘る相関関係を求める。次に、加入者局はコードの中のシフトを変更しながらこのプロセスを連続して繰り返す。結果として生じる相関関係値は、相関関数を定義するためにシフト値と関連付けられてよい。結果として生じる相関関数のピークが所定閾値を超えると、識別コードの中のシフトに対応するパイロット信号が検出されたと見なされる。
【００３１】
１つの例では、受信信号Ｓの各サンプルは同相（Ｉ）成分と直交（Ｑ）成分を有する複素数であり、信号Ｓは、それぞれが、パイロット信号（及び、パイロット信号が生じる基地局またはセクタ）を一意に識別するＰＮ符号のシフトされたバージョンで変調される１つ以上のパイロット信号を含んでよい。ある実施では、加入者局内の相関器が、最初に、使用されるＰＮ符号のシフトに依存する相関値Ｃを求める。この相関値はコヒーレントであってよい、つまり位相情報を保持する。このケースでは相関値は、以下のように表現できる複素数であり、
【数１】
2005525759.tif 000003
【００３２】
この場合Ｎはチップ単位の（コヒーレント）積分時間であり、Ｓ（ｉ）は受信信号のサンプルであり、ｋは任意の開始時刻である。この実施では、積分時間Ｉはコヒーレント積分時間Ｎである。
【００３３】
第２の実施形態では、相関器が実数であり、非コヒーレントに、つまり位相情報を保持せず、それぞれがＮ個のチップで実施されるＭ回の連続コヒーレント積分を結合し、引き出される相関値Ｃを求める。この実施では、相関値Ｃは以下のように表現できる。
【数２】
2005525759.tif 000004
【００３４】
この実施形態では、積分時間ＩはＮとＭの積である。
【００３５】
試験されるシフトｓの範囲は検索ウィンドウＷである。ともに生じるＷ値Ｃ（ＰＮ，ｓ）が、所望される検索ウィンドウＷ上で信号ＳとＰＮ符号（シフトｓがチップ単位で表現される）のシフトｓの間の相関関係の程度を表す相関関数Ｆ（ＰＮ，ｓ）を形成する。ＰＮ符号が受信信号の上に繰り返し変調されるケースでは、相関関数Ｆ（ＰＮ，ｓ）は周期的である。
【００３６】
図３は、ＣＤＭＡ無線通信システムにおけるパイロット信号のための相関関数Ｆ（ＰＮ，ｓ）の例を描く。この例の（チップ単位の）ウィンドウサイズは８であり、ウィンドウは起点３０６で中心に置かれると仮定される。水平軸３０２は（チップ単位で表現される）ＰＮ符号のシフトを表し、垂直軸３０４は（エネルギー（ｄＢ）単位で表現される）相関関数Ｆ（ＰＮ，ｓ）を表す。描かれているように、この例の関数のピーク３０８は起点３０６に位置する。
【００３７】
相関関数のピーク３０８が十分に高く、雑音と（マルチパスまたは視野方向の欠如などの）他の歪みから十分に識別可能である場合、偽陽性（false positive）の危険が許容できるレベルまで引き下げられ、成功した測定値が得られた。
【００３８】
前記から、このプロセスの中で使用されるパラメータのいくつか、つまり、Ｗ、ウィンドウサイズ、Ｎ、コヒーレント積分時間、及びＭ、非コヒーレント積分時間が、前記少なくとも部分的な獲得プロセスが発生するために要する時間に影響を及ぼす変数であることが分かる。すなわち、ウィンドウサイズＷが大きくなるほど、コヒーレント積分時間Ｎが大きくなり、非コヒーレント積分時間Ｍが大きくなるほど、一般的には、前記少なくとも部分的な獲得プロセスはさらに長く要するようになる。その結果、この実施形態においては、第２の論理１０４が、試みられる獲得プロセスが、加入者局がＧＳＭ動作モードのアクティブ状態に戻るまで使用可能な時間内に発生するようにこれらのパラメータを設定する。
【００３９】
１つの実施形態では、相関関数のピークのエネルギーレベルが第３の論理１０８に提供され、それがこの情報から獲得の試みが成功したかどうかを判断する。前述されたように、１つの実施形態では、獲得の試みは、相関関数のピークのエネルギーレベルが所定レベルを超えると成功と見なされる。さらに高速であるが、より信頼できない実施形態は、補正されていないエネルギーレベル（ＲＳＳＩ）が所定レベルを上回った場合に獲得の試みを成功と見なすであろう。これらの技法は、所望される信頼性と獲得を試みるために使用可能な時間に基づいて組み合わせるまたは選択することができる。
【００４０】
獲得の試みが成功した場合は、この実施形態の第３の論理１０８により加入者局はＧＳＭ動作モードを止め、ＣＤＭＡシステムからのサービス獲得を完了し、ＣＤＭＡ動作モードで動作を開始させる。
【００４１】
１つの構成では、これは、加入者局にＧＳＭシステムから登録解除させることにより達成され、それ自体をＣＤＭＡシステムと同期させるため、及びＣＤＭＡシステム情報により指示される場合にはＣＤＭＡシステムとそれ自体を登録するために（ＣＤＭＡシステムのＳＩＤ、およびシステムタイミングを獲得するために必要な他の情報を取得するためのＣＤＭＡシステムの同期チャネルから同期チャネルメッセージを獲得する工程を含んでよい）ＣＤＭＡ上でのサービスの獲得を完了する。この構成では、加入者局が、２つのシステムを混乱させる、あるいは不正な状況を偽って検出するために１つのシステムをトリガするのを回避するためにＣＤＭＡシステムに登録する前にＧＳＭシステムから登録解除することが重要と見なされる。
【００４２】
別の構成においては、獲得の試みが成功した場合、第３の論理１０８が加入者局に、ＣＤＭＡ動作モードに移行する目的でハードハンドオフ手順またはソフトハンドオフ手順を開始させる。この構成では、ハンドオフ発生中に、加入者局がＧＳＭシステムとＣＤＭＡシステムの両方に共同で登録されることが可能である。
【００４３】
加入者局が、ＧＳＭからＣＤＭＡ動作モードに動的に切り替える際に利用される方法に類似した方法でＣＤＭＡからＧＳＭ動作モードに動的に切り替えることも可能である。特に、ＣＤＭＡ動作モードでは、加入者局がページングサイクルごとの間隔のためにページングメッセージのためのページングチャネルだけを監視する必要がある、スロット式ページング方式が利用されてよい。ページングサイクルの持続時間は、通常１．２８秒から１６３．８４秒の範囲となり、２ｉ×１．２８秒として表現されてよいシステムパラメータであり、指数ｉは０から７の範囲である。この指数ｉがスロットサイクル指数と呼ばれる。クイックページングチャネルを活用するＣＤＭＡシステムは、加入者局が次の間隔のメッセージについて傾聴する必要があるかどうかを示す最適化としてスロット活動表示を有する。クイックページングチャネルは同様の非アクティブ期間を含む周期的な表示を提供する。
【００４４】
加入者局は、ページングサイクル中の間隔の間にただページングメッセージを傾聴しさえすればよい。ページングサイクルの残りの部分では、加入者局はその受信機の出力を下げ、非アクティブ状態に入る。前記状況は、加入者局がその間にアクティブな状態で維持される期間２０６ａ、２０６ｂ、２０６ｃを示す図２Ｂに描かれている。ページングサイクルＴの残りの部分の間に、加入者局の受信機の出力が下げられてよく、加入者局は非アクティブ状態にされてよい。
【００４５】
走査条件に対する時間が示されると、あるいは示された後、第２の論理１０４が、加入者局が非アクティブ状態にある間に、加入者局が重大なサービスの中断を受けずにＣＤＭＡ動作モードに戻ることができるようにするために再び十分な状態情報を記憶し、加入者局がアクティブな状態に戻るまでの残りの時間も突き止め、試みがこの移行の前に完了することが予定されるように、それに応えて獲得の試みのパラメータを決定してよい。
【００４６】
しかしながら、ここではＧＳＭ動作モードからの移行と対照的に、ページングサイクル、したがって獲得の試みのために使用可能な時間が最高１６３．８４秒となってよいため、ＧＳＭサービスの獲得を完了するのに十分な時間があってよく、これはＧＳＭサービスを獲得するために必要な通常の時間よりも大きい。従って、ＣＤＭＡ動作モードから移行するときに、十分なＧＳＭサービスを獲得しようとする試みが可能である。
【００４７】
獲得の試みの間に実行されてよいタスクのいくつかは、加入者局の局部発振器をＧＳＭシステム内の基地トランシーバの周波数基準と同期させるために周波数補正チャネル（ＦＳＳＨ）を使用することと、同期チャネル（ＳＣＨ）からタイミング情報を獲得し、ＧＳＭフレームとマルチフレームタイミング構造に対して加入者局を同期させることと、及び放送制御チャネル（ＢＣＣＨ）上で基地局トランシーバにより一斉送信される他の重要なシステム情報を取得することとを含む。
【００４８】
獲得の試みが成功した場合には、前記のように、第３の論理１０８により加入者局にＣＤＭＡ動作モードで動作するのを止めさせ、ＧＳＭ動作モードで動作を開始させる。ある構成では、これらのタスクはＣＤＭＡシステムから登録解除し、必要とされる場合、ＧＳＭシステムからのサービスの獲得を完了し、ＧＳＭシステムに登録することを含む。別の構成においては、これらのタスクはＣＤＭＡからＧＳＭシステムにハードハンドオフ手順またはソフトハンドオフ手順を開始することにより実行される。
【００４９】
本発明によるシステムを具現化するマルチモード無線通信装置の実施例は、図４に描かれている。この特定の例では無線通信装置の構成要素が、ソフトウェア命令を実行するためのＣＰＵ４０２と、ソフトウェア命令とデータを保持するためのメモリ４０４と、固定記憶域４０６と、通常ユーザインタフェースの一部として提供されるキーパッド４０８及びディスプレイ４１０と、音声を送信するためのデバイスの使用をサポートするために通常提供されるマイク４１２及びスピーカ４１４と、複数のモードで無線通信リンク上で情報を受信し、送信することができる無線トランシーバ（Ｔｘ／Ｒｘ）４１６と、音声またはデータなどのベースバンド情報をＲＦ搬送波に変調するため、及び変調されたＲＦ搬送波を復調し、ベースバンド情報を取得するためのモデム４１８と、無線通信リンク上で変調済みのＲＦ搬送波を送信し、無線通信リンク上で変調済みのＲＦ搬送波を受信するためのアンテナ４２２とを備える。これらの構成要素は多くの無線通信装置で標準的な項目であり、さらに説明する必要はない。
【００５０】
この特定の実施例では、無線通信装置は、それぞれが１ｘ、１ｘＥＶ、ＡＭＰＳ、ＣＤＭＡ、ＧＳＭ、ＴＤＭＡ、及びＷＣＤＭＡを備えるグループから選択される異なるモードである第１の動作モードと第２の動作モードの間で切り替えることができる。
【００５１】
さらに、この特定の実施の例では、前述され、図６に関してさらに後述される第１の論理、第２の論理、及び第３の論理１０２、１０４、１０６の機能が図４のＣＰＵ４０２によって実行可能なソフトウェアで実現される。このソフトウェアは、メモリ４０４、固定記憶域４０６、または両方に記憶される一連の命令の形で具現化されてよい。
【００５２】
固定記憶域４０６は、複数のモードで無線通信サービスを獲得するために有効な暫定的（provisioning）情報を保持するように構成され、ＳＩＭカードと結合される不揮発性ＥＥＰＲＯＭなどのデバイスの組み合わせとして実現できる。
【００５３】
ある例では、暫定的情報は、優先ローミングリスト（ＰＲＬ）と、ＣＤＭＡシステム内のＣＤＭＡシステムとネットワークを識別する、システムＩＤ、ネットワークＩＤ（ＳＩＤ、ＮＩＤ）組のリストと、ＳＩＤ、ＮＩＤ組ごとにＳＩＤ、ＮＩＤ組により指定されるシステムまたはネットワークのサービスエリアを示す地理的なインジケータと、ＳＩＤ、ＮＩＤ組により指定されるシステムまたはネットワークが好ましくない旨のリストまたはインジケータの中で他のシステムまたはネットワークに対してＳＩＤ、ＮＩＤ組により指定されるシステムまたはネットワークに与えられる優先順位のインジケータと、ＳＩＤ、ＮＩＤ組により指定されるシステムまたはネットワークからサービスの獲得を試みる上で活用される周波数またはチャネルとを備えるＣＤＭＡ構成物を備える。暫定的情報は、直前使用（ＭＵＲ）リスト、つまり加入者により最近使用されたシステムまたはネットワークを指定するＳＩＤ、ＮＩＤ組のリストも備えてよい。
【００５４】
別の例では、優先ローミングリスト（ＰＲＬ）は、ＣＤＭＡシステムの中でＣＤＭＡシステムとネットワークを識別するシステムＩＤ、ネットワークＩＤ（ＳＩＤ、ＮＩＤ）組の代わりにだけではなく１ｘＥＶサブネットＩＤを使用するレコードも含む。暫定的情報は、直前使用（ＭＲＵ）リスト、つまり加入者により最近に使用されたシステムまたはネットワークを指定するＳＩＤ、ＮＩＤ組の代わりにだけではなくサブネットＩＤのリストも備えてよい。代わりに、サブネットＩＤとＳＩＤ、ＮＩＤ組のＭＲＵエントリは、モードごとに１つずつ２つのリストに分離できるであろう。
【００５５】
さらに別の例では、優先ローミングリスト（ＰＲＬ）は、ＧＳＭシステム及びＧＳＭシステム内のネットワークを識別するために１ｘＥＶサブネットＩＤまたはシステムＩＤ、ネットワークＩＤ（ＳＩＤ、ＮＩＤ）組の代わりにだけではなく、ＰＬＭＮまたはＰＬＭＮ＋ＬＡＣ分類（両方とも後述される）を使用するレコードも含む。暫定的情報は、前記に注記されたように直前使用（ＭＲＵ）リストを備えてもよい。
【００５６】
さらに、暫定的情報は陸上移動通信網（ＰＬＭＮ）リスト、ＰＬＭＮ、つまり国々と国々の中のＧＳＭネットワークを識別するモバイル国番号、モバイルネットワークコード（ＭＣＣ、ＭＮＣ）組のリスト、及びＭＣＣ、ＭＮＣ組ごとにＭＣＣ、ＭＮＣ組により指定されるシステムまたはネットワークのサービスエリアを示す地理的なインジケータ、ＭＣＣ、ＭＮＣ組により指定されるシステムまたはネットワークが好ましくない旨のリストまたはインジケータで他のシステム又はネットワークに対してＭＣＣ、ＭＮＣ組に指定されるシステムまたはネットワークに与えられる優先のインジケータを備えるＧＳＭ構成物、及び組により指定されるシステムまたはネットワークからサービスの獲得を試みる際に活用される周波数またはチャネルも含んでよい。ＭＣＣ、ＭＮＣ組はさらにシステムまたはネットワークの領域を指定するために１つ以上のロケーションエリアコード（Ｌｏｃａｔｉｏｎ  Ａｒｅａ  Ｃｏｄｅ）（ＬＡＣ）値と関連付けられてよい。
【００５７】
この暫定的情報は、現在のシステムまたはネットワークに比較して加入者によって好まれている獲得のための候補システムまたはネットワーク、及び候補システムまたはネットワークからサービス獲得の試行を実施する上で利用される獲得パラメータの少なくともいくつかを動的に決定するためにＣＰＵ４０２上で実行するプロトコルスタックによって使用されてよい。走査条件に対する時間が検出されると、現在のシステムまたはネットワークとの通信を維持するプロトコルスタックが一時停止されてよく、別のプロトコルスタックが他のネットワークまたはシステムからサービス獲得の試行を実行するために呼び出されてよい。前述したように、獲得の試みで利用される検索／獲得パラメータは、過去の動作モードのアクティブ状態への次に予定される移行の前に試みが完了されるように決定される。これにより、獲得試行を過去のプロトコルスタックに対して透明化することができるであろう。
【００５８】
１つの実施では、優先ローミングリストは、それぞれが図５Ａに描かれているフォーマットを有するシステムレコードの順序付けられたリストを備える。このレコードでは、ＳＩＤフィールドは前記レコードに関連付けられたシステムの１５ビットのシステム識別子であり、値「０００００００００００００００」が任意のＳＩＤと一致するため、ＳＩＤワイルドカードとしての機能を果たす。
【００５９】
ＮＩＤ＿ＩＮＣＬフィールドは、システムレコードがＮＩＤフィールドを含むかどうかを示す１ビットのフィールドである。フィールドが「１」に設定されている場合、レコードはＮＩＤフィールドを含む。それ以外の場合、このフィールドは「０」に設定される。
【００６０】
ＮＩＤフィールドは、ＮＩＤ＿ＩＮＣＬフィールドにより示されるように存在する場合には、レコードと関連付けられたネットワークを識別する１６ビットのフィールドである。値「１１１１１１１１１１１１１１１１」は任意のＮＩＤと一致するためＮＩＤワイルドカードとしての機能を果たす。
【００６１】
ＮＥＧ＿ＰＲＥＦフィールドは１ビットフィールドであり、加入者局がレコードに関連付けられたシステムまたはネットワークとともに動作できるかどうかを示す。フィールドは、加入者局がレコードに関連付けられたシステムまたはネットワークで動作できる場合に「１」に設定され、それ以外の場合に「０」に設定される。
【００６２】
ＧＥＯフィールドは１ビットの地理的地域インジケータである。レコードがリスト中の最初のレコードである場合には、フィールドは「０」に設定される。レコードがリスト中の最初のレコードではなく、レコードに関連付けられたシステムまたはネットワークが過去のレコードと関連付けられたシステムまたはネットワークと同じ地理的地域内にある場合には、このフィールドは過去のレコードのＧＥＯフィールドと同じ値に設定される。それ以外の場合、このフィールドは過去のレコードのＧＥＯフィールドの値の補数に設定される。
【００６３】
ＰＲＩフィールドは１ビットの相対優先順位インジケータである。レコードがリスト中の最初のレコードである場合にはこのフィールドは「０」に設定される。レコードがリスト中の最初のレコードではなく、このレコードのＧＥＯフィールドの値が過去のレコードのフィールドと異なる場合、このフィールドは「０」に設定される。レコードがリスト中の最初のレコードではなく、このレコードのＧＥＯフィールドの値が過去のレコードの値と同じであり、このレコードと関連付けられたシステムまたはネットワークが過去のレコードと関連付けられたシステムまたはネットワークと同程度に望ましい場合、このフィールドは過去のレコードのＰＲＩフィールドに設定される。それ以外の場合、それは過去のレコードのＰＲＩフィールドの補数に設定される。
【００６４】
ＡＣＱ＿ＩＮＤＥＸフィールドは、レコードと関連付けられたシステムまたはネットワークの獲得パラメータを指定する獲得レコードの６ビットインデックスである。これらの獲得レコードのフォーマットは後述される。
【００６５】
ＲＯＡＭ＿ＩＮＤフィールドは、ＮＥＧ＿ＰＲＥＦフィールドが「１」に設定されている場合にだけ存在する。このフィールドは、存在する場合、レコードと関連付けられたシステムまたはネットワークのローミング表示値に設定される３ビットフィールドである。フィールドが「０００」に設定されている場合、それは、加入者局がローミングしておらず、ローミングインジケータがオフであることを示す。フィールドが「００１」に設定されている場合、それは加入者局のローミングインジケータがオンであることを示している。フィールドが「０１０」に設定される場合には、それは、ローミングインジケータが点滅中であることを示している。
【００６６】
獲得レコードの考えられるフォーマットのいくつかの例が図５Ｂから図５Ｄに示されている。図５Ｂは、セルラーＣＤＭＡシステムまたはネットワークのための獲得レコードのフォーマットを描く。ＡＣＱ＿ＴＹＰＥフィールドは、獲得レコードタイプを示す４ビットフィールドである。この場合、レコードタイプは「００１０」に設定され、セルラーＣＤＭＡを示している。
【００６７】
Ａ＿Ｂフィールドは２ビットのフィールドであり、レコードに関連付けられたシステムまたはネットワークがＡバンドに割り当てられているのか、あるいはＢバンドに割り当てられているのかを示す。値「００」はＡバンドを示し、値「０１」はＢバンドを示し、値「１１」はＡまたはＢバンドのどちらかを指定する。
【００６８】
ＰＲＩ＿ＳＥＣフィールドは、一次チャネルが好ましいのか、あるいは二次チャネルが好ましいのかを示す２ビットのフィールドである。Ａバンドの一次チャネルは２８３であり、Ａバンドの二次チャネルは６９１である。Ｂバンドの一次チャネルは３８４であり、Ｂバンドの二次チャネルは７７７である。値「００」は、一次チャネルが好ましいことを示し、値「０１」は二次チャネルが好ましいことを示し、値「１１」は一次チャネルまたは二次チャネルのどちらかが好ましいことを示している。
【００６９】
図５Ｃは、レコードが１つ以上の周波数ブロックを指定するＰＣＳ  ＣＤＭＡシステムまたはネットワークのための獲得レコードのフォーマットを描いている。
【００７０】
ＡＣＱ＿ＴＹＰＥフィールドは、再び獲得レコードタイプを指定する４ビットのフィールドである。この場合、フィールドは、周波数ブロック単位でのＰＣＳ  ＣＤＭＡ獲得レコードを示す「０１００」という値を有する。
【００７１】
ＮＵＭ＿ＢＬＯＣＫＳフィールドは、獲得レコードに含まれるＰＣＳ周波数ブロックの数を指定する３ビットのフィールドである。
【００７２】
ＢＬＯＣＫフィールドはＰＣＳ周波数ブロックを指定する３ビットのフィールドである。このフィールドは複製されてよく、このフィールドの発生回数はＮＵＭ＿ＢＬＯＣＫＳフィールドの値で指定される。「０００」という値はＡブロックを指定し、「００１」という値はＢブロックを指定し、「０１０」という値はＣブロックを指定し、「０１１」という値はＤブロックを指定し、「１００」という値はＥブロックを指定し、「１０１」という値はＦブロックを指定し、「１１１」という値は任意のブロックを指定する。
【００７３】
図５Ｄは、１つ以上のＣＤＭＡチャネルを指定するＰＣＳ  ＣＤＭＡシステムまたはネットワークのための獲得レコードのフォーマットを描いている。
【００７４】
ＡＣＱ＿ＴＹＰＥフィールドは、チャネル単位でＰＣＳ  ＣＤＭＡ獲得レコードを示す「０１０１」という値に設定される。
【００７５】
ＮＵＭ＿ＣＨＡＮＳフィールドはこのレコードに含まれるＣＤＭＡチャネルの数を示す５ビットのフィールドである。
【００７６】
ＣＨＡＮフィールドはＰＣＳ  ＣＤＭＡチャネル番号を示す１１ビットのフィールドである。このフィールドは複製されてよく、このフィールドの発生回数はＮＵＭ＿ＣＨＡＮＳフィールドの値で指定される。
【００７７】
ＭＲＵリストとＰＬＭＮリストは、前記に類似したフォーマットを有してよい。さらに、現在のシステムが複数の地理的地域に跨るケースでは、ＰＲＬから引き出され、現在のシステムが跨るすべての地理的地域のより好ましいシステムまたはネットワークと関連付けられたレコードの合併を備える、代替走査リスト（ＡＳＬ）として知られている前記に対する代替策を利用することが望ましい場合がある。
【００７８】
図４に戻ると、（オプションの）地理データベース４２４は、優先ローミングリスト、ＭＲＵリスト及びＰＬＭＮリストの１つ以上に指定されるシステムまたはネットワークのサービスエリアを示すデータベースである。この情報は、同様に走査条件に対する時間をトリガしてよい、これらのシステムまたはネットワークの１つのサービスエリアに対する加入者局の近接を検出するために使用されてよい。このデータベースは、前述された暫定的情報の形を取って実現されてよく、ＳＩＤ、ＮＩＤ組、ＭＣＣ、ＭＮＣ組、またはＭＣＣ、ＭＮＣ、ＬＡＣグループに対応するシステムまたはネットワークのサービスエリアの地理的なインジケータが提供される。代わりに、地理データベース４２４は、この暫定的情報とは別個のデータベースとして具現化されてもよい。どのように実現されようとも、地理データベース４２４は、通信サービスの獲得のために加入者局がアクセス可能であるシステムまたはネットワークのサービスエリアを示す必要がある。
【００７９】
相関器４２０は、他の関数の中でＣＤＭＡシステムを獲得するために提供される。指定されたＰＮ符号シフトの場合、それは定義されたコヒーレント積分時間と非コヒーレント積分時間（Ｎ、Ｍ）に従って定義された検索ウィンドウＷの中で相関関数を生じさせる。
【００８０】
図６を参照すると、加入者局において通信サービスを動的に獲得する本発明による方法の実施形態が描かれている。この方法は、図４の加入者局におけるメモリ４０４及び／または固定記憶域４０６のような、しかしこれに限定されないメモリに記憶される一連の命令として明白に具現化されてよい。
【００８１】
方法は、別のサービスについて走査するときであるかどうかを判断することを備えるステップ６０２で開始する（ある実施形態では、この工程は、加入者局が現在の動作モードにある間に実行される）。走査するときである場合は、制御はステップ６０４に進む。走査するときでない場合には、方法はステップ６０２の最初に一巡して戻る。
【００８２】
ステップ６０２は種々の方法で実行されてよい。ある実施では、それは、新規サービスの獲得試行が不当に電池寿命を枯渇させないように、十分に捜査時間発生の間の間隔を調節するタイマの期限切れ時に実行される。別の実施では、この工程は、候補システムからの信号強度が所定の閾値を超えているかどうか、及び／または使用中のシステムの信号強度が所定の閾値以下に低下したかどうか、及び／または候補システムからの信号強度が使用しているシステムの信号強度を十分に上まっているかどうかを判断することを備える。さらに第３の実施では、この工程は、新規サービスのための走査を正当化するために、加入者局の場所と候補システムのサービスエリアの間に十分な近接があるかどうかを判断することを備える。
【００８３】
ステップ６０４では、方法は候補システムまたはネットワーク、及び現在の動作モードにある間に加入者局がアクティブ状態に戻ることが予定される前に許される時間を考慮して可能である走査タイプを決定する。（ある実施形態では、この工程は、加入者局が現在の動作モードで非アクティブ状態にある間に発生すると仮定される）。ある実施では、候補システムまたはネットワークは、加入者の優先順位を反映する暫定的情報に基づいて決定される。ある例では、新しいシステムがＣＤＭＡシステムであることが予想される場合、この工程は、許された時間内で獲得を実行するのに十分な時間があるようにコヒーレント積分時間と非コヒーレント積分時間Ｎ、Ｍだけではなく検索ウィンドウＷを設定することを備える。
【００８４】
ステップ６０４から、制御は、加入者局が、動作の現在のモードにある間にアクティブな状態に戻ることを予定される前に走査を実行するのに十分な時間があるかどうかをチェックするオプションのステップ６０６に進む。この工程は、走査が許される時間内に完了するように検索パラメータを設定するステップ６０４にとって少なくとも部分的に冗長であるためオプションである。実行される場合、この工程は、許される時間内に走査することが可能であることを確認することを備えてよい。可能である場合、制御はステップ６０８に進む。可能ではない場合、制御はステップ６０２の最初に一巡して戻る。
【００８５】
ステップ６０８では、現在の動作モードのタイミング及び状態情報が記憶され、ステップ６０４で決定される走査が実行される。記憶されるタイミング及び状態情報は、サービスの重大な中断なく動作の現在のモードに後に戻ることを可能にするために十分でなければならない。ある例では、この工程は、獲得の試みのための好ましい周波数またはチャネルを指定する暫定的情報に少なくとも部分的に基づいて実行される。ステップ６１０が続く。ステップ６１０では、走査が成功したかどうかが照会される。成功した場合、制御はステップ６１２に進む。成功しなかった場合、制御はステップ６０２の最初に一巡して戻る。
【００８６】
ステップ６１２では、加入者局は現在のサービスから登録を解除する。ステップ６１４はステップ６１２に続く。ステップ６１４では、加入者局が、必要な場合、新しいシステムからのサービスの獲得を完了し、新しいシステムにも登録する。次に制御はステップ６０２の最初に渡る。
【００８７】
別の実施形態では、ステップ６１２と６１４の代わりに、方法は現在のシステムから新しいシステムへのソフトハンドオフまたはハードハンドオフを実行する。この実施形態では、加入者局が両方のシステムに同時に登録されることが可能であるが、必要ではないことに留意する。
【００８８】
本発明の多様な実施形態が説明されてきたが、本発明の範囲内にあるさらに多くの実施形態及び実施が可能であることが当業者にとって明らかになるであろう。
【図面の簡単な説明】
【００８９】
【図１】加入者局にダイナミックマルチモードサービス獲得機能を提供するための本発明によるシステムの実施形態の簡略化されたブロック図である。
【図２Ａ】ＧＳＭ動作モードで動作している間の加入者局におけるアクティブ状態と非アクティブ状態の移行の一例を描くタイミング図である。
【図２Ｂ】ＣＤＭＡ動作モードで動作している間の加入者局におけるアクティブ状態と非アクティブ状態の移行の一例を描くタイミング図である。
【図３】ＣＤＭＡシステムのパイロット信号から引き出される相関関数の例を示す図である。
【図４】加入者局にダイナミックマルチモードサービス獲得機能を提供するための本発明によるシステムの１つの実施に関する簡略化されたブロック図である。
【図５Ａ】好ましいローミングリストの中のシステムレコードの一例のフォーマットを示す図である。
【図５Ｂ】好ましいローミングリストの中のＣＤＭＡシステムのための獲得レコードの一例のフォーマットを示す図である。
【図５Ｃ】好ましいローミングリストの中のＰＣＳ  ＣＤＭＡシステムのための獲得レコードの例のフォーマットを示す図である。
【図５Ｄ】好ましいローミングリストの中のＰＣＳ  ＣＤＭＡシステムのための獲得レコードの例のフォーマットを示す図である。
【図６】加入者局においてサービスを動的に獲得する本発明による方法の実施形態を描く簡略化されたフローチャートである。
【図１】
2005525759.tif 000005
【図２Ａ】
2005525759.tif 000006
【図２Ｂ】
2005525759.tif 000007
【図３】
2005525759.tif 000008
【図４】
2005525759.tif 000009
【図５Ａ】
2005525759.tif 000010
【図５Ｂ】
2005525759.tif 000011
【図５Ｃ】
2005525759.tif 000012
【図５Ｄ】
2005525759.tif 000013
【図６】
2005525759.tif 000014
【国際調査報告】
2005525759.tif 000015
2005525759.tif 000016
2005525759.tif 000017